(57)【要約】      （修正有）【課題】冬季入浴において、浴槽からの冷温が身体へ伝わることを防ぐことができ、しかも入浴中にゆったりとくつろぐことを実現する浴槽用敷設具を提供する。【解決手段】浴槽本体と身体との間に取り外し自在に配設される浴槽用敷設具であって、敷設具１は、身体が載置される液体透過性の本体部２と、該本体部２の裏面部に立設された脚部１０とを具備することを特徴とする。また前記脚部１０の裏面部に、敷設具１を浴槽内面に固定することができる固定部材が設置されている。【選択図】図１
0003149845.tif 000002
【実用新案登録請求の範囲】
【請求項１】
浴槽本体と身体との間に取り外し自在に配設される浴槽用敷設具であって、身体が載置される液体透過性の本体部と、該本体部の裏面部に立設された脚部とを具備することを特徴とする浴槽用敷設具。
【請求項２】
前記脚部の裏面部に、敷設具を浴槽内面に固定することができる固定部材が設置されている請求項１記載の浴槽用敷設具。
【請求項３】
前記敷設具の本体部が網目状に形成されている請求項１または２記載の浴槽用敷設具。
【請求項４】
前記敷設具にシート体が装着されている請求項１乃至３のうちいずれか一項に記載の浴槽用敷設具。
【請求項５】
前記シート体が脚部を具備する請求項４記載の浴槽用敷設具。
【請求項６】
防菌防カビ加工、遠赤外線放射加工および防汚加工のうち、少なくとも一種以上の加工が施されている請求項１乃至５のうちいずれか一項に記載の浴槽用敷設具。
【考案の詳細な説明】
【技術分野】
【０００１】
本考案は、浴槽用敷設具に関し、詳しくは、冬季入浴において、浴槽からの冷温が身体へ直接伝わるのを防ぐことができるなど、体全体を湯船で包み込むことができ、しかも入浴中にゆったりとくつろぐことができる浴槽用敷設具に関する。
【背景技術】
【０００２】
住宅用の浴槽には、洋式や和式、またそれらを組み合わせた和洋折衷式のタイプがある。また壁や天井と浴槽を一体的に成型し、さらに洗面台やトイレと一体型にしたユニットバスもある。これらの浴槽には、タイルを敷き詰めたもの、ステンレスや強化プラスチック等の素材で一体的に形成されたものなど、種々の平滑な内面タイプのものがある。
【０００３】
しかし、平滑な内面の浴槽の場合、入浴中に体が当該内面に密着し、体全体を湯船で包み込むことができず、そればかりか、冬季において、浴槽内に湯を入れても、浴槽の外部からの冷気により浴槽表面が冷えた状態になっている場合、入浴中に背中や臀部に浴槽表面の冷たさを直接感じてしまい、不快感を得ることがある。
【０００４】
このように体全体が直接浴槽の表面に触れるのを防ぐ手段として、例えば、特許文献１に、湯船の内面部のある一面あるいは全面部に夫々適宜間隔を置いて複数個の突起を形成して成る突起付き湯船が提案されている。特許文献１では、この湯船によれば、入浴中における疲労回復及び筋肉痛の回復などが早くなり、健康維持に効果があり、さらに湯船に立つ時に足のすべりによる転倒の防止効果もあると述べられている。
【０００５】
また、特許文献２では、浴槽縁部の角部を利用して入浴者の頭部を支えることができるようにした風呂用の枕が報告されている。この風呂用枕は、浴槽縁部の角部に位置決め載置せしめるための縦断面Ｌ字型の縁掛部と、入浴者の頭部を支えるための曲面傾斜部と、肩当て部と、を備えており、肩当て部が存在することで背中が直接浴槽の表面に触れるのを防ぐことができる。
【先行技術文献】
【特許文献】
【０００６】
【特許文献１】実開昭６２−１８９７３７号公報
【特許文献２】実開平４−８３０８２号公報
【考案の概要】
【考案が解決しようとする課題】
【０００７】
上掲特許文献１記載の突起付き湯船は、直接肌が浴槽の表面に触れることはないが、湯船の内面部に複数の突起が形成されているため、突起間に汚れが溜まり、清掃に手間がかかるといった問題があった。また、入浴中、常に身体に刺激が与えられるため、ゆったりとくつろいで入浴を望むときには不向きであった。
【０００８】
また、上掲特許文献２記載の風呂用枕においては、頭部や肩部以外の臀部などは浴槽の表面に直接肌が触れるため、入浴中に浴槽表面の冷たさを感じてしまうことがあるなどといった問題は解消し得なかった。
【０００９】
そこで本考案の目的は、上記問題点を解消し、冬季入浴において、浴槽からの冷温が身体へ直接伝わるのを防ぐことができるなど、体全体を湯船で包み込むことができ、入浴中にゆったりとくつろぐことができる浴槽用敷設具を提供することにある。
【課題を解決するための手段】
【００１０】
本考案の浴槽用敷設具は、上記課題を解決するために、浴槽本体と身体との間に取り外し自在に配設される浴槽用敷設具であって、身体が載置される液体透過性の本体部と、該本体部の裏面部に立設された脚部とを具備することを特徴とするものである。
【００１１】
本考案の浴槽用敷設具においては、前記脚部の裏面部に、敷設具を浴槽内面に固定することができる固定部材を好適に設置することができる。また、前記敷設具の本体部が網目状に形成されていることが好ましい。さらに、前記敷設具にシート体が装着されていることが好ましい。さらにまた、前記シート体が脚部を具備することが好ましい。さらにまた、防菌防カビ加工、遠赤外線放射加工および防汚加工のうち、少なくとも一種以上の加工を好適に施すことができる。
【考案の効果】
【００１２】
本考案によれば、入浴中に身体が直接浴槽本体に触れることがない。よって、冬季入浴において、浴槽からの冷温が身体へ直接伝わるのを防ぐことができるなど、体全体を湯船で包み込むことができ、入浴中にゆったりとくつろぐことができる。
【００１３】
また、敷設具に、防菌防カビ加工、遠赤外線放射加工および防汚加工のうち、少なくとも一種以上の加工を付与することで、衛生面等においても優れた効果を発揮することが可能となる。
【図面の簡単な説明】
【００１４】
【図１】本考案の好適例の敷設具の全体斜視図である。
【図２】前記敷設具の断面図である。
【図３】本考案の他の好適例の敷設具の斜視図である。
【図４】本考案の他の好適例の、シート体を設置した敷設具の斜視図である。
【図５】本考案の他の好適例の、壁面部を設けない敷設具の斜視図である。
【図６】本考案の他の好適例の敷設具の斜視図である。
【図７】シート体の斜視図である。
【図８】シート体の使用状態の断面図である。
【図９】本考案の好適例の敷設具の使用状態の断面図である。
【図１０】本考案の他の好適例の敷設具の使用状態の断面図である。
【図１１】本考案の好適例の敷設具の使用状態の拡大断面図である。
【考案を実施するための形態】
【００１５】
以下、本考案における浴槽用敷設具の実施の形態を図面に基づいて説明する。
図１に示す本考案の好適例の敷設具１は、浴槽本体と身体との間に取り外し自在に配設されるもので、身体が載置される液体透過性の本体部２と、本体部２の裏面部に配置された脚部１０とを備える。また、この好適例の敷設具１の大きさは、背中から腰、および臀部全体を支えることのできる大きさを有するが、身体の一部、例えば、臀部のみ、背中のみを支える小形のものでもよい。あるいは、浴槽内面全体を被覆できる大きさであってもよい。
【００１６】
図１に示す敷設具１の液体透過性の本体部２は、身体が触れる平面部３と、平面部３の周囲に形成された壁面部４とからなる。平面部３および壁面部４は、身体を支持することができる程度の剛性を有する既知のプラスチック材、例えば、ポリエチレンやポリプロピレン、ポリ塩化ビニル、ポリスチレン等の汎用プラスチック材の他、ステンレススチール等の金属素材で一体的に形成することができる。壁面部４は設けなくとも本発明の所望の効果を得ることができるが、図示するように壁面部４から湾曲させて連続的に形成することにより平面部３の縁部の身体への接触が緩徐となる。また、敷設具１の全体に対する補強効果もある。
【００１７】
液体透過性の本体部２は、浴槽内で使用した際、暖かい湯が直接身体に触れることができる構造からなる。例えば、一マスが１〜２ｃｍ角の網目５からなる網目状に形成することが好ましい。また、網目５を形成する糸状部６は、適宜強度を考慮して、２〜５ｍｍ程度の径を有するものが使用される。
【００１８】
本体部２は、図１および図２に示すように、略Ｌ字状の形状や、図３に示すように、小形矩形状としてもよい。略Ｌ字状のものは浴槽の角部に配設され、図９に示すように背中や臀部を載置することができる。また、小形矩形状のものは、図１０に示すように、臀部の下部に配設することができる。本体部２の形状はこれらに限定されず、円形状や多角形状等（図示せず）、さまざまな形状とすることができる。
【００１９】
また、壁面部４を備えていない敷設具の好適例として、図５に示すように平面部３のみのものでもよい。さらに、平面部３も網目状に限定されず、図６に示すように、糸状部６が一方向に水平状に配された形状のものでもよい。上述の構造により、敷設具１を容易に洗うことができ、繰り返して衛生的に使用することができる。
【００２０】
本考案の敷設具は、脚部１０が本体部２の裏面部に複数立設されている。脚部１０は平面部３と浴槽内面との間隔を設けるため、好ましくは１〜１５ｃｍ程度の長さを有するものとする。脚部１０を設けることで、図１１に示すように、浴槽Ａの表面と身体Ｂとの間に隙間ａが生じ、外部からの冷温ｂにより冷された浴槽Ａ表面に肌が直接ふれることがない。また、浴槽Ａと身体Ｂとの間に温かい湯が流入するため、背中、腰、臀部等が温かい湯に触れることができる。
【００２１】
また、脚部１０の下端には、敷設具１を浴槽Ａに固定することができる固定部材１１を装着することができる。固定部材１１は、平坦な内面の浴槽内での使用を考慮した場合、市販の吸盤を用いることが好ましい。
【００２２】
また、本考案の他の好適例として、図４に示すように、敷設具１にシート体２０を装着してもよい。シート体２０は、柔軟性、耐水性を有する、例えば、適宜エラストマー材からなるものとすることができ、本体部２の略中央部分に装着される。
【００２３】
シート体２０を装着した敷設具１は、図１０に示すように、追い炊き用の湯循環出口Ｃを具備した浴槽において好適に使用できるものである。シート体２０を装着することで、湯循環出口Ｃから排出される高温の湯が肌に直接触れることを防ぐことができる。これにより、数人で入浴する際においても、熱湯を気にせずに湯循環出口側に着座することができる。なお、シート体２０の上下に、湯循環出口Ｃから排出される高温の湯が直接肌に触れないようにする壁面（図示せず）を設けてもよい。
【００２４】
また、図７に示すように、シート体２０に脚部２１を装着してもよい。シート体２０の下面に直接脚部２１を装着することで、図８に示すように、単体のシート体２０を湯循環出口Ｃに配設して使用することができる。なお、この構造においても、シート体２０の上下に、壁面（図示せず）を設けてもよい。
【００２５】
また、他の好適例として、本考案の敷設具１に、防菌防カビ加工、遠赤外線放射加工および防汚加工のうち、少なくとも一種以上の加工を好適に施すことができる。
【００２６】
防菌防カビ加工としては、キトサン等の天然系抗菌剤、銀やマグネシウム等の酸化物、酸化チタン等の無機系の既知の防菌・防カビ剤を、敷設具１の素材に混合、または表面に塗布することにより施すことができる。
【００２７】
また、遠赤外線放射加工としては、遠赤外線を放射するトルマリン等の天然鉱石、木炭、竹炭等の粉体を敷設具１の素材に混合、または表面に塗布することにより施すことができる。
【００２８】
さらに、防汚加工としては、オゾン処理等の既知の防汚処理を敷設具１に施すことができる。
【００２９】
本考案の敷設具に、防菌防カビ加工、遠赤外線放射加工、防汚加工のうち、少なくとも一種以上の加工を付与することで、衛生面において優れた効果を発揮することができる。なお、防菌防カビ加工、遠赤外線放射加工、防汚加工は、それぞれ防菌防カビ、遠赤外線放射、防汚効果を発揮できるものであれば、上述の加工方法に限定されるものではない。
【符号の説明】
【００３０】
１  敷設具
２  本体部
３  平面部
４  壁面部
５  網目
６  糸状部
１０  脚部
１１  固定部材
２０  シート体
２１  脚部
Ａ  浴槽
Ｂ  身体
Ｃ  湯循環出口
ａ  隙間
ｂ  冷温
【図１】
0003149845.tif 000003
【図２】
0003149845.tif 000004
【図３】
0003149845.tif 000005
【図４】
0003149845.tif 000006
【図５】
0003149845.tif 000007
【図６】
0003149845.tif 000008
【図７】
0003149845.tif 000009
【図８】
0003149845.tif 000010
【図９】
0003149845.tif 000011
【図１０】
0003149845.tif 000012
【図１１】
0003149845.tif 000013